(57)【要約】【課題】近距離無線通信を用いたコンテンツ情報の配信における処理性能及び通信品質の低下、並びに、消費電力の増大を抑制することの可能な情報配信システム、情報配信方法、プログラムを提供する。【解決手段】コンテンツ情報を近距離無線通信によって通信端末に配信する情報配信システムであって、コンテンツ情報のダイジェスト情報を含む第１無線信号を送信する第１送信手段３１と、通信端末が第１無線信号を受信した場合に、通信端末においてダイジェスト情報に基づいて判別されたコンテンツ情報の受信の要否に関する情報を取得する取得手段３２と、通信端末がコンテンツ情報の受信を必要とする場合に、コンテンツ情報を含む第２無線信号を通信端末に送信する第２送信手段３３と、を備える。【選択図】図４
2018028876.tif 000002
【特許請求の範囲】
【請求項１】
コンテンツ情報を近距離無線通信によって通信端末に配信する情報配信システムであって、
前記コンテンツ情報のダイジェスト情報を含む第１無線信号を送信する第１送信手段と、
前記通信端末が前記第１無線信号を受信した場合に、前記通信端末において前記ダイジェスト情報に基づいて判別された前記コンテンツ情報の受信の要否に関する情報を取得する取得手段と、
前記通信端末が前記コンテンツ情報の受信を必要とする場合に、前記コンテンツ情報を含む第２無線信号を前記通信端末に送信する第２送信手段と、
を備える情報配信システム。
【請求項２】
前記取得手段は、前記通信端末において、前記ダイジェスト情報と、前記通信端末に設定されたユーザの属性に関する情報と、に基づいて判別された前記コンテンツ情報の受信の要否に関する情報を取得する、請求項１に記載の情報配信システム。
【請求項３】
前記ダイジェスト情報は、前記コンテンツ情報の配信対象となるユーザの属性に関する情報を含む、請求項１又は２に記載の情報配信システム。
【請求項４】
前記第１送信手段は、前記第１無線信号を所定値未満の信号強度で送信し、
前記第２送信手段は、前記第２無線信号を前記所定値以上の信号強度で送信する、請求項１〜３の何れかに記載の情報配信システム。
【請求項５】
前記コンテンツ情報及び前記ダイジェスト情報の少なくとも一方を更新する更新手段を備える、請求項１〜４の何れかに記載の情報配信システム。
【請求項６】
コンピュータを用いて、コンテンツ情報を近距離無線通信によって通信端末に配信する情報配信方法であって、
前記コンピュータは、
前記コンテンツ情報のダイジェスト情報を含む第１無線信号を送信するステップと、
前記通信端末が前記第１無線信号を受信した場合に、前記通信端末において前記ダイジェスト情報に基づいて判別された前記コンテンツ情報の受信の要否に関する情報を取得するステップと、
前記通信端末が前記コンテンツ情報の受信を必要とする場合に、前記コンテンツ情報を含む第２無線信号を前記通信端末に送信するステップと、
の各ステップを実行する、情報配信方法。
【請求項７】
コンピュータを用いて、コンテンツ情報を近距離無線通信によって通信端末に配信するためのプログラムであって、
前記コンピュータに、
前記コンテンツ情報のダイジェスト情報を含む第１無線信号を送信する機能、
前記通信端末が前記第１無線信号を受信した場合に、前記通信端末において前記ダイジェスト情報に基づいて判別された前記コンテンツ情報の受信の要否に関する情報を取得する機能、及び
前記通信端末が前記コンテンツ情報の受信を必要とする場合に、前記コンテンツ情報を含む第２無線信号を前記通信端末に送信する機能、
を実現させるためのプログラム。
【発明の詳細な説明】
【技術分野】
【０００１】
本発明は、コンテンツ情報を近距離無線通信によって通信端末に配信する情報配信システム、情報配信方法、プログラムに関する。
【背景技術】
【０００２】
従来、近距離無線通信を用いてコンテンツ情報を通信端末に配信する情報配信システムとしては、無線ＬＡＮ(Local Area Network)やＢｌｕｅｔｏｏｔｈ（登録商標）等の近距離無線通信方式を用いたものが知られている（特許文献１）。
【０００３】
かかる技術では、コンテンツサーバに接続された基地局が近距離無線通信を用いて放送的に配信したコンテンツ情報を、当該基地局と通信可能な範囲内に存在する携帯電話機が受信するようになっている。
【先行技術文献】
【特許文献】
【０００４】
【特許文献１】特開２００２−１７６４０３号公報
【発明の概要】
【発明が解決しようとする課題】
【０００５】
ところで、従来の技術では、通信可能な範囲内に存在する携帯電話機に対して基地局からコンテンツ情報が常に配信されているので、例えば、配信されるコンテンツ情報のデータ量が増大した場合には、近距離無線通信ネットワーク上のトラフィック量が継続して高い状態になることによって、コンテンツ情報の配信における処理性能及び通信品質の低下、並びに、消費電力の増大が生じる虞があった。
【０００６】
本発明は上記課題に鑑みてなされたものであり、近距離無線通信を用いたコンテンツ情報の配信における処理性能及び通信品質の低下、並びに、消費電力の増大を抑制することの可能な情報配信システム、情報配信方法、プログラムを提供することを目的とする。
【課題を解決するための手段】
【０００７】
上記課題を解決するために、第一に本発明は、コンテンツ情報を近距離無線通信によって通信端末に配信する情報配信システムであって、前記コンテンツ情報のダイジェスト情報を含む第１無線信号を送信する第１送信手段と、前記通信端末が前記第１無線信号を受信した場合に、前記通信端末において前記ダイジェスト情報に基づいて判別された前記コンテンツ情報の受信の要否に関する情報を取得する取得手段と、前記通信端末が前記コンテンツ情報の受信を必要とする場合に、前記コンテンツ情報を含む第２無線信号を前記通信端末に送信する第２送信手段と、を備える情報配信システムを提供する（発明１）。
【０００８】
かかる発明（発明１）によれば、コンテンツ情報のダイジェスト情報を含む第１無線信号を通信端末が受信し、且つ、ダイジェスト情報に基づいてコンテンツ情報が必要であると通信端末において判別された場合に、コンテンツ情報を含む第２無線信号が通信端末に送信される。つまり、コンテンツ情報が必要であると通信端末において判別されるまでは、コンテンツ情報自体ではなくコンテンツ情報のダイジェスト情報が近距離無線通信ネットワーク上を流れるので、配信されるコンテンツ情報のデータ量が増大した場合であっても、コンテンツ情報を常に配信する場合と比較して近距離無線通信ネットワーク上のトラフィック量を低減することができる。これにより、近距離無線通信を用いたコンテンツ情報の配信における処理性能及び通信品質の低下、並びに、消費電力の増大を抑制することができる。
【０００９】
上記発明（発明１）においては、前記取得手段は、前記通信端末において、前記ダイジェスト情報と、前記通信端末に設定されたユーザの属性に関する情報と、に基づいて判別された前記コンテンツ情報の受信の要否に関する情報を取得するのが好ましい（発明２）。
【００１０】
かかる発明（発明２）によれば、例えば、ユーザの属性に関する情報が事前に通信端末に設定されている場合には、コンテンツ情報の受信の要否を通信端末において自動的に判別することが可能になるので、コンテンツ情報の受信の要否に関する情報を円滑に取得することができる。
【００１１】
上記発明（発明１〜２）においては、前記ダイジェスト情報は、前記コンテンツ情報の配信対象となるユーザの属性に関する情報を含むのが好ましい（発明３）。
【００１２】
かかる発明（発明３）によれば、通信端末が第１無線信号を受信した場合に、通信端末において、コンテンツ情報の受信の要否を、コンテンツ情報の配信対象となるユーザの属性に基づいて容易に判別することができる。
【００１３】
上記発明（発明１〜３）においては、前記第１送信手段は、前記第１無線信号を所定値未満の信号強度で送信し、前記第２送信手段は、前記第２無線信号を前記所定値以上の信号強度で送信するのが好ましい（発明４）。
【００１４】
かかる発明（発明４）によれば、第１無線信号が所定値未満の信号強度で送信されるので、通信距離の短い通信端末をコンテンツ情報の送信対象とすることができる。また、第２無線信号が所定値以上の信号強度（つまり、第１無線信号の信号強度よりも高い信号強度）で送信されるので、コンテンツ情報が通信端末に送信される場合に、例えば他の無線信号からの干渉等によって通信異常が生じるのを抑制することができる。
【００１５】
上記発明（発明１〜４）においては、前記コンテンツ情報及び前記ダイジェスト情報の少なくとも一方を更新する更新手段を備えるのが好ましい（発明５）。
【００１６】
かかる発明（発明５）によれば、コンテンツ情報及びダイジェスト情報の少なくとも一方を最新の状態で送信することが可能になる。
【００１７】
第二に本発明は、コンピュータを用いて、コンテンツ情報を近距離無線通信によって通信端末に配信する情報配信方法であって、前記コンピュータは、前記コンテンツ情報のダイジェスト情報を含む第１無線信号を送信するステップと、前記通信端末が前記第１無線信号を受信した場合に、前記通信端末において前記ダイジェスト情報に基づいて判別された前記コンテンツ情報の受信の要否に関する情報を取得するステップと、前記通信端末が前記コンテンツ情報の受信を必要とする場合に、前記コンテンツ情報を含む第２無線信号を前記通信端末に送信するステップと、の各ステップを実行する、情報配信方法を提供する（発明６）。
【００１８】
第三に本発明は、コンピュータを用いて、コンテンツ情報を近距離無線通信によって通信端末に配信するためのプログラムであって、前記コンピュータに、前記コンテンツ情報のダイジェスト情報を含む第１無線信号を送信する機能、前記通信端末が前記第１無線信号を受信した場合に、前記通信端末において前記ダイジェスト情報に基づいて判別された前記コンテンツ情報の受信の要否に関する情報を取得する機能、及び前記通信端末が前記コンテンツ情報の受信を必要とする場合に、前記コンテンツ情報を含む第２無線信号を前記通信端末に送信する機能、を実現させるためのプログラムを提供する（発明７）。
【発明の効果】
【００１９】
本発明の情報配信システム、情報配信方法、プログラムによれば、近距離無線通信を用いたコンテンツ情報の配信における処理性能及び通信品質の低下、並びに、消費電力の増大を抑制することができ、ひいては、例えば近距離無線通信を用いた情報配信サービス等に好適に利用することができる。
【図面の簡単な説明】
【００２０】
【図１】本発明の一実施形態に係る情報配信システムの基本構成を概略的に示す図である。
【図２】配信装置の構成を示すブロック図である。
【図３】通信端末の構成を示すブロック図である。
【図４】一実施形態に係る情報配信システムで主要な役割を果たす機能を説明するための機能ブロック図である。
【図５】コンテンツデータの構成例を示す図である。
【図６】ダイジェスト情報の構成例を示す図である。
【図７】一実施形態に係る情報配信システムにおける情報配信処理の一例を示すシーケンス図である。
【図８】一実施形態に係る情報配信システムにおける情報更新処理の一例を示すシーケンス図である。
【図９】ユーザ属性データの構成例を示す図である。
【発明を実施するための形態】
【００２１】
以下、本発明の一実施形態について添付図面を参照して詳細に説明する。ただし、この実施形態は例示であり、本発明はこれに限定されるものではない。
【００２２】
（１）情報配信システムの基本構成
図１は、本発明の一実施形態に係る情報配信システムの基本構成を概略的に示す図である。図１に示すように、この情報配信システムでは、例えば屋内又は屋外の所定空間Ｓに設けられた配信装置１０が、配信装置１０に記憶されたコンテンツ情報を近距離無線通信によって通信端末２０に配信するようになっている。本実施形態の情報配信システムでは、配信装置１０をインターネット等の通信網を介して外部装置（例えばコンテンツサーバ等）に接続する必要がないので、通信網への接続や外部装置の開発等にかかるコストを抑えることができる。
【００２３】
ここで、コンテンツ情報は、例えば、テキストデータ、画像（動画を含む）データ、音声データ、プログラム、デジタルファイル、認証データ等であってよい。コンテンツ情報の例としては、空間Ｓを含むエリアの観光情報（休憩所や施設等の案内情報や、慣習・風習・マナーに関する注意情報等を含む）、博物館の展示物等の説明情報、視覚や聴覚の障害者向けの案内情報、演劇（例えばオペラや歌舞伎等）の字幕や解説等の情報、災害情報等が挙げられるが、これらに限定されない。例えば、コンテンツ情報は、通信端末２０上で実行可能なアプリケーションであってもよいし、通信端末２０上で参照可能なデータ（例えばＨＴＭＬ(HyperText Markup Language)データ）であってもよいし、デジタルノベルティ（例えば、スタンプ、クーポン、画像、キャラクター、アイテム等）であってもよい。また、配信装置１０は、書込み及び閲覧可能なローカル掲示板として用いられてもよいし、例えば機器や設備等に設けられている場合には、当該機器や設備等の取扱説明書の配信やメンテナンス情報等の書込み・閲覧ができるように構成されてもよい。
【００２４】
配信装置１０は、空間Ｓにおいて、近距離無線通信規格の１つであるＢｌｕｅｔｏｏｔｈ（登録商標）  Ｌｏｗ  Ｅｎｅｒｇｙ（ＢＬＥ）を用いて通信端末２０と無線通信を行うことが可能な位置に設けられている。また、配信装置１０は、例えば、ＢＬＥのアドバタイジングにおいてアドバタイズの電波を所定間隔（例えば２０ミリ秒間隔）で送信し、アドバタイズの電波を受信した通信端末２０がコンテンツ情報の受信を必要とする場合に、コンテンツ情報を通信端末２０に送信するように構成されている。なお、ここでは、ＢＬＥを用いて無線通信を行う場合を一例として説明しているが、この場合に限られない。例えば、無線ＬＡＮ（例えばＷｉ−Ｆｉ（登録商標））、ＺｉｇＢｅｅ（登録商標）、ＵＷＢ、光無線通信（例えば赤外線）等の近距離無線通信方式を用いた無線通信が行われてもよい。また、配信装置１０は、通信端末２０から発信されたデータを受信するように構成されてもよい。
【００２５】
通信端末２０は、空間Ｓ内に存在する場合に、配信装置１０との間で近距離無線通信を行うように構成されている。通信端末２０は、例えば、携帯端末、スマートフォン、ＰＤＡ（Personal Digital Assistant）、パーソナルコンピュータ、双方向の通信機能を備えたテレビジョン受像機（いわゆる多機能型のスマートテレビも含む。）等のように、個々のユーザによって操作される通信端末であってよい。
【００２６】
（２）配信装置の構成
図２を参照して配信装置１０について説明する。図２は、配信装置１０の内部構成を示すブロック図である。図２に示すように、配信装置１０は、ＣＰＵ（Central Processing Unit）１１と、ＲＯＭ（Read Only Memory）１２と、ＲＡＭ（Random Access Memory）１３と、不揮発性メモリ１４と、入力部１５と、センサ１６と、通信インタフェース部１７とを備えており、各部間の制御信号又はデータ信号を伝送するためのバス１８が設けられている。なお、入力部１５及びセンサ１６は、必ずしも必須の構成要素ではないが、本発明をさらに好ましくするための構成要素である。
【００２７】
ＣＰＵ１１は、電源が配信装置１０に投入されると、ＲＯＭ１２又は不揮発性メモリ１４に記憶された各種のプログラムをＲＡＭ１３にロードして実行する。また、ＣＰＵ１１は、ＲＯＭ１２、ＲＡＭ１３又は不揮発性メモリ１４に記憶されているデータを、通信インタフェース部１７を介して通信端末２０に送信する。本実施形態では、ＣＰＵ１１は、ＲＯＭ１２又は不揮発性メモリ１４に記憶されたプログラムを読み出して実行することにより、後述する第１送信手段３１、取得手段３２、第２送信手段３３及び更新手段３４（図４に示す）の機能を実現する。
【００２８】
不揮発性メモリ１４は、例えばフラッシュメモリ等であって、ＣＰＵ１１が実行するプログラムやＣＰＵ１１が参照するデータを格納する。また、不揮発性メモリ１４には、後述するコンテンツデータ（図５に示す）が記憶されている。
【００２９】
入力部１５は、例えば管理者等の操作入力を受け入れるためのスイッチを備え、スイッチの押下（操作）入力を認識してＣＰＵ１１へ出力するためのインタフェース回路を含む。また、入力部１５は、例えば管理者等の操作入力を受け入れるための複数の釦を備え、各釦の押下（操作）入力を認識してＣＰＵ１１へ出力するためのインタフェース回路を含んでもよい。
【００３０】
センサ１６は、例えば、人感センサ、圧力センサ、加速度センサ、角速度センサ、温度センサ、湿度センサ等であってよく、測定したデータをＣＰＵ１１へ出力するように構成されている。
【００３１】
通信インタフェース部１７は、上述した近距離無線通信方式を用いて無線通信を行うためのインタフェース回路を含む。
【００３２】
（３）通信端末の構成
図３を参照して通信端末２０について説明する。図３は、通信端末２０の内部構成を示すブロック図である。図３に示すように、通信端末２０は、ＣＰＵ２１と、ＲＯＭ２２と、ＲＡＭ２３と、不揮発性メモリ２４と、表示処理部２５と、表示部２６と、入力部２７と、通信インタフェース部２８とを備えており、各部間の制御信号又はデータ信号を伝送するためのバス２９が設けられている。
【００３３】
ＣＰＵ２１は、電源が通信端末２０に投入されると、ＲＯＭ２２又は不揮発性メモリ２４に記憶された各種のプログラムをＲＡＭ２３にロードして実行する。ＣＰＵ２１は、配信装置１０から送信された信号を、通信インタフェース部２８を介して受信し、その信号を解釈する。また、ＣＰＵ２１は、ＲＯＭ２２、ＲＡＭ２３又は不揮発性メモリ２４に記憶されているデータを、通信インタフェース部２８を介して配信装置１０に送信してもよい。なお、本実施形態では、ＣＰＵ２１は、配信装置１０から送信された第１無線信号を受信すると、不揮発性メモリ２４に記憶されたコンテンツ情報表示用のアプリケーションを実行するように構成されている。
【００３４】
不揮発性メモリ２４は、例えばフラッシュメモリ等であって、ＣＰＵ２１が実行するプログラムやＣＰＵ２１が参照するデータを格納する。
【００３５】
表示処理部２５は、ＣＰＵ２１から与えられる表示用データを表示部２６に表示する。表示部２６は、例えば、マトリクス状に画素単位で配置された薄膜トランジスタを含むＬＣＤ（Liquid Cristal Display）モニタであり、表示用データに基づいて薄膜トランジスタを駆動することで、表示されるデータを表示画面に表示する。
【００３６】
通信端末２０が釦入力方式の通信端末である場合には、入力部２７は、ユーザの操作入力を受け入れるための方向指示釦及び決定釦等の複数の指示入力釦を含む釦群と、テンキー等の複数の指示入力釦を含む釦群とを備え、各釦の押下（操作）入力を認識してＣＰＵ２１へ出力するためのインタフェース回路を含む。
【００３７】
通信端末２０がタッチパネル入力方式の通信端末である場合には、入力部２７は、主として表示画面に指先又はペンで触れることによるタッチパネル方式の入力を受け付ける。タッチパネル入力方式は、静電容量方式等の公知の方式でよい。
【００３８】
通信インタフェース部２８は、上述した近距離無線通信方式を用いて無線通信を行うためのインタフェース回路を含む。
【００３９】
（４）情報配信システムにおける各機能の概要
本実施形態の情報配信システムで実現される機能について、図４を参照して説明する。図４は、本実施形態の情報配信システムで主要な役割を果たす機能を説明するための機能ブロック図である。図４の機能ブロック図では、第１送信手段３１、取得手段３２及び第２送信手段３３が本発明の主要な構成に対応している。他の手段（更新手段３４）は必ずしも必須の構成ではないが、本発明をさらに好ましくするための構成要素である。
【００４０】
第１送信手段３１は、コンテンツ情報のダイジェスト情報を含む第１無線信号を送信する機能を備える。ここで、ダイジェスト情報は、例えば、コンテンツ情報の概要を表す情報であってもよいし、コンテンツ情報の一部であってもよい。
【００４１】
第１送信手段３１の機能は、例えば以下のように実現される。配信装置１０のＣＰＵ１１は、不揮発性メモリ１４にアクセスして図５に示すコンテンツデータからダイジェスト情報（図６に示す）を抽出し、抽出したダイジェスト情報を含む第１無線信号を生成する。そして、ＣＰＵ１１は、ＢＬＥのアドバタイジングにおいて、生成した第１無線信号を通信インタフェース部１７を介して送信（ブロードキャスト）する。
【００４２】
コンテンツデータは、コンテンツＩＤごとに、コンテンツ情報と、コンテンツ情報のダイジェスト情報とが対応付けられた状態で記録されているデータである。なお、本実施形態では、複数のコンテンツ情報がコンテンツデータに記録されている場合を一例として説明しているが、コンテンツデータに記録されるコンテンツ情報の数は１つであってもよい。
【００４３】
ダイジェスト情報は、図６に示すように、コンテンツ情報の形式（例えばテキストデータ、画像データ、音声データ等）、タイプ（例えば観光情報、説明情報、案内情報、災害情報、メンテナンス情報、プログラム、デジタルノベルティ等）、コンテンツ情報の一部（例えばサムネイル画像や、音声データ及び／又はテキストデータの一部等）、タイトル等の各項目のデータが記録されているデータである。
【００４４】
また、ダイジェスト情報は、コンテンツ情報の配信対象となるユーザの属性に関する情報（例えば、ユーザの使用言語（例えば日本語、英語、中国語等）、対象年齢、対象性別、更新日、更新回数、配信先ユーザ情報（例えば配信先ユーザのプロフィール情報、コメント、閲覧履歴（足跡）、閲覧回数等）等）を含んでもよい。これにより、通信端末２０が第１無線信号を受信した場合に、通信端末２０において、コンテンツ情報の受信の要否を、コンテンツ情報の配信対象となるユーザの属性に基づいて容易に判別することができる。
【００４５】
さらに、ダイジェスト情報には、配信装置１０固有の装置ＩＤや、配信装置１０が配置された空間Ｓやエリア固有のエリアＩＤが含まれてもよい。ＣＰＵ１１は、ダイジェスト情報の全ての項目のデータを抽出して第１無線信号を生成してもよいし、ダイジェスト情報の全ての項目のうち少なくとも１つの項目のデータを抽出して第１無線信号を生成してもよい。
【００４６】
取得手段３２は、通信端末２０が第１無線信号を受信した場合に、通信端末２０においてダイジェスト情報に基づいて判別されたコンテンツ情報の受信の要否に関する情報を取得する機能を備える。
【００４７】
取得手段３２の機能は、例えば以下のように実現される。先ず、通信端末２０のＣＰＵ２１は、配信装置１０から送信された第１無線信号を通信インタフェース部２８を介して受信すると、コンテンツ情報表示用のアプリケーションの実行を開始して、以下に説明する当該アプリケーションの処理を行う。次いで、ＣＰＵ２１は、受信した第１無線信号に含まれるダイジェスト情報を表示部２６に表示させるように表示処理部２５を制御する。そして、通信端末２０のユーザは、表示部２６に表示されたダイジェスト情報を参照して、ダイジェスト情報に対応するコンテンツ情報の受信の要否を、入力部２７を用いて指示する。通信端末２０のＣＰＵ２１は、コンテンツ情報の受信が必要であるとの指示が入力されたことを認識する（つまり、コンテンツ情報の受信が必要であると判別する）と、配信装置１０との通信を確立するための接続要求を通信インタフェース部２８を介して配信装置１０に送信した後に、コンテンツ情報の送信を要求するためのコンテンツ要求コマンドを生成して、生成したコンテンツ要求コマンドを通信インタフェース部２８を介して配信装置１０に送信する。
【００４８】
一方、配信装置１０のＣＰＵ１１は、接続要求を受信した後にコンテンツ要求コマンドを受信（取得）すると、受信したコンテンツ要求コマンドを例えばＲＡＭ２３に記憶する。このようにして、配信装置１０のＣＰＵ１１は、通信端末２０においてダイジェスト情報に基づいて判別されたコンテンツ情報の受信の要否に関する情報（ここでは、コンテンツ要求コマンド）を取得することができる。また、ＣＰＵ１１が接続要求を受信することによって、配信装置１０と、接続要求を送信した通信端末２０との間の双方向通信が確立される。
【００４９】
第２送信手段３３は、通信端末２０がコンテンツ情報の受信を必要とする場合に、コンテンツ情報を含む第２無線信号を通信端末２０に送信する機能を備える。
【００５０】
第２送信手段３３の機能は、例えば以下のように実現される。配信装置１０のＣＰＵ１１は、取得手段３２の機能に基づいてコンテンツ要求コマンドを受信すると、コンテンツデータにアクセスして、コンテンツＩＤ毎にコンテンツ情報を抽出する。そして、ＣＰＵ１１は、抽出したコンテンツ情報を含む第２無線信号を生成して、生成した第２無線信号を、通信インタフェース部１７を介して、コンテンツ要求コマンドを送信した通信端末２０に送信する。このようにして、本実施形態では、配信装置１０と、コンテンツ要求コマンドを送信した通信端末２０との双方向通信において、コンテンツ情報が通信端末２０に送信される。
【００５１】
一方、コンテンツ要求コマンドを送信した通信端末２０のＣＰＵ２１は、通信インタフェース部２８を介してコンテンツ情報を受信すると、受信したコンテンツ情報を表示部２６に表示させるように表示処理部２５を制御する。このようにして、コンテンツ情報が通信端末２０に配信される。
【００５２】
なお、上述した例では、複数のコンテンツ情報がコンテンツデータに記録されている場合に全てのコンテンツ情報が通信端末２０に配信される場合を一例として説明したが、この場合に限られない。例えば、通信端末２０のユーザが、表示部２６に表示された複数のコンテンツ情報の各々のダイジェスト情報のうち、入力部２７を用いて選択したダイジェスト情報に対応するコンテンツ情報が必要であると指示した場合には、配信装置１０のＣＰＵ１１は、選択されたダイジェスト情報に対応するコンテンツ情報を通信端末２０に送信してもよい。
【００５３】
更新手段３４は、コンテンツ情報及びダイジェスト情報の少なくとも一方を更新する機能を備える。これにより、コンテンツ情報及びダイジェスト情報の少なくとも一方を最新の状態で送信することが可能になる。
【００５４】
更新手段３４の機能は、例えば以下のように実現される。なお、ここでは、更新手段３４が、通信端末２０から受信したデータに基づいてコンテンツ情報を更新する場合を一例として説明する。
【００５５】
先ず、通信端末２０のＣＰＵ２１は、接続要求を配信装置１０に送信した後に、所定のコンテンツ更新コマンドを通信インタフェース部２８を介して配信装置１０に送信する。ここで、コンテンツ更新コマンドには、例えば、更新対象となるコンテンツ情報のコンテンツＩＤと、新たなコンテンツ情報及び新たなダイジェスト情報の少なくとも一方と、が含まれてもよい。また、コンテンツ更新コマンドには、ユーザ情報（例えばユーザが事前に設定したプロフィール情報、コメント、ユーザＩＤ等）が含まれてもよい。
【００５６】
一方、配信装置１０のＣＰＵ１１は、通信インタフェース部１７を介してコンテンツ更新コマンドを受信すると、コンテンツデータにアクセスして、受信したコンテンツ更新コマンドに含まれているコンテンツＩＤに対応するコンテンツ情報及びダイジェスト情報の少なくとも一方を、新たな内容に更新する。また、ＣＰＵ１１は、ユーザ情報がコンテンツ更新コマンドに含まれている場合に、当該ユーザ情報を、ダイジェスト情報の配信先ユーザ情報の項目の内容に追加するように更新してもよい。さらに、ＣＰＵ１１は、コンテンツ情報及びダイジェスト情報の少なくとも一方を更新した場合に、ダイジェスト情報の更新日の項目の内容を更新した日時に更新するとともに、更新回数の項目の内容を１つ増加させてもよい。
【００５７】
（５）本実施形態の情報配信システムの主要な処理のシーケンス
本実施形態の情報配信システムにより行われる情報配信処理のシーケンスの一例について、図７のシーケンス図を参照して説明する。
【００５８】
先ず、配信装置１０のＣＰＵ１１は、不揮発性メモリ１４にアクセスしてコンテンツデータからダイジェスト情報を抽出し、抽出したダイジェスト情報を含む第１無線信号を生成する。そして、ＣＰＵ１１は、ＢＬＥのアドバタイジングにおいて、生成した第１無線信号を通信インタフェース部１７を介して送信（ブロードキャスト）する（ステップＳ１００）。
【００５９】
一方、通信端末２０のＣＰＵ２１は、第１無線信号を通信インタフェース部２８を介して受信すると、受信した第１無線信号に含まれるダイジェスト情報に基づいてコンテンツ情報の受信の要否を判別する（ステップＳ１０２）。具体的に説明すると、通信端末２０のＣＰＵ２１は、ダイジェスト情報を表示部２６に表示させるように表示処理部２５を制御する。そして、通信端末２０のＣＰＵ２１は、ユーザが、表示部２６に表示されたダイジェスト情報を参照して、ダイジェスト情報に対応するコンテンツ情報の受信の要否を、入力部２７を用いて指示することによって、コンテンツ情報の受信の要否を判別する。また、ＣＰＵ２１は、配信装置１０との通信を確立するための接続要求を通信インタフェース部２８を介して配信装置１０に送信する（ステップＳ１０４）。
【００６０】
次に、通信端末２０のＣＰＵ２１は、所定の認証コマンドを通信インタフェース部２８を介して配信装置１０に送信してもよい（ステップＳ１０６）。ここで、認証コマンドには、通信端末２０の不揮発性メモリ２４に記憶されたコンテンツ情報表示用のアプリケーションが正当であることを認証するための認証用データ（例えばパスワード等）が含まれてもよい。一方、配信装置１０のＣＰＵ１１は、認証コマンドを通信インタフェース部１７を介して受信すると、受信した認証コマンドに含まれている認証用データを用いて認証処理を行う（ステップＳ１０８）。そして、ＣＰＵ１１は、認証コマンドを送信した通信端末２０に対して認証結果を送信する（ステップＳ１１０）。
【００６１】
通信端末２０のＣＰＵ２１は、認証結果を受信して、認証が正常終了したことを認識した場合であって、ステップＳ１０２においてコンテンツ情報が必要であると判別した場合に、コンテンツ要求コマンドを通信インタフェース部２８を介して配信装置１０に送信する（ステップＳ１１２）。
【００６２】
配信装置１０のＣＰＵ１１は、コンテンツ要求コマンドを受信すると、コンテンツデータにアクセスして、コンテンツＩＤ毎にコンテンツ情報を抽出する。そして、ＣＰＵ１１は、抽出したコンテンツ情報を含む第２無線信号を生成して、生成した第２無線信号を、通信インタフェース部１７を介して、コンテンツ要求コマンドを送信した通信端末２０に送信する（ステップＳ１１４）。
【００６３】
コンテンツ要求コマンドを送信した通信端末２０のＣＰＵ２１は、通信インタフェース部２８を介してコンテンツ情報を受信すると、受信したコンテンツ情報を出力する（ステップＳ１１６）。ここで、ＣＰＵ２１は、受信したコンテンツ情報を表示部２６に表示させるように表示処理部２５を制御してもよい。また、ＣＰＵ２１は、例えばコンテンツ情報が音声データで構成されている場合には、コンテンツ情報をスピーカ等の音声出力装置に出力させてもよい。
【００６４】
そして、通信端末２０のＣＰＵ２１は、配信装置１０との通信を終了するための接続終了要求を、通信インタフェース部２８を介して配信装置１０に送信する（ステップＳ１１８）。配信装置１０のＣＰＵ１１は、接続終了要求を受信すると、通信端末２０との通信を終了して、第１無線信号の送信を再開してもよい。
【００６５】
なお、通信端末２０のＣＰＵ２１は、ステップＳ１０２の処理において、コンテンツ情報の受信を必要としないと判別した場合には、接続終了要求を配信装置１０に送信して、コンテンツ情報表示用のアプリケーションを終了してもよい。
【００６６】
次に、本実施形態の情報配信システムにより行われる情報更新処理のシーケンスの一例について、図８のシーケンス図を参照して説明する。
【００６７】
配信装置１０のＣＰＵ１１は、上述したステップＳ１００と同様に、ＢＬＥのアドバタイジングにおいて、第１無線信号を通信インタフェース部１７を介して送信する（ステップＳ２００）。
【００６８】
通信端末２０のＣＰＵ２１は、第１無線信号を通信インタフェース部２８を介して受信すると、上述したステップＳ１０２と同様に、ダイジェスト情報に基づいてコンテンツ情報の受信の要否を判別する（ステップＳ２０２）。また、ＣＰＵ２１は、上述したステップＳ１０４と同様に、接続要求を配信装置１０に送信する（ステップＳ２０４）。
【００６９】
次に、通信端末２０のＣＰＵ２１は、上述したステップＳ１０６と同様に、認証コマンドを配信装置１０に送信してもよい（ステップＳ２０６）。一方、配信装置１０のＣＰＵ１１は、認証コマンドを通信インタフェース部１７を介して受信すると、上述したステップＳ２０８と同様に、認証処理を行う（ステップＳ２０８）。そして、ＣＰＵ１１は、上述したステップＳ２１０と同様に、認証コマンドを送信した通信端末２０に対して認証結果を送信する（ステップＳ２１０）。
【００７０】
通信端末２０のＣＰＵ２１は、認証結果を受信して、認証が正常終了したことを認識した場合に、コンテンツ更新コマンドを通信インタフェース部２８を介して配信装置１０に送信する（ステップＳ２１２）。
【００７１】
一方、配信装置１０のＣＰＵ１１は、通信インタフェース部１７を介してコンテンツ更新コマンドを受信すると、コンテンツデータにアクセスして、受信したコンテンツ更新コマンドに含まれているコンテンツＩＤに対応するコンテンツ情報及びダイジェスト情報の少なくとも一方を、新たな内容に更新する（ステップＳ２１４）。そして、ＣＰＵ１１は、更新が終了したことを通知するための応答信号を、通信インタフェース部１７を介して通信端末２０に送信する。
【００７２】
配信装置１０のＣＰＵ１１は、接続終了要求を受信すると、通信端末２０との通信を終了して、第１無線信号の送信を再開してもよい。なお、ＣＰＵ１１は、第１無線信号の送信を再開する際に、不揮発性メモリ１４にアクセスしてコンテンツデータからダイジェスト情報を抽出し、抽出したダイジェスト情報を含む第１無線信号を再度生成してもよい。
【００７３】
上述したように、本実施形態の情報配信システム、情報配信方法、プログラムによれば、コンテンツ情報のダイジェスト情報を含む第１無線信号を通信端末２０が受信し、且つ、ダイジェスト情報に基づいてコンテンツ情報が必要であると通信端末２０において判別された場合に、コンテンツ情報を含む第２無線信号が通信端末２０に送信される。つまり、コンテンツ情報が必要であると通信端末２０において判別されるまでは、コンテンツ情報自体ではなくコンテンツ情報のダイジェスト情報が近距離無線通信ネットワーク上を流れるので、配信されるコンテンツ情報のデータ量が増大した場合であっても、コンテンツ情報を常に配信する場合と比較して近距離無線通信ネットワーク上のトラフィック量を低減することができる。これにより、近距離無線通信を用いたコンテンツ情報の配信における処理性能及び通信品質の低下、並びに、消費電力の増大を抑制することができる。
【００７４】
以下、上述した実施形態の変形例について説明する。
（変形例１）
本変形例において、取得手段３２は、通信端末２０において、ダイジェスト情報と、通信端末２０に設定されたユーザの属性に関する情報と、に基づいて判別されたコンテンツ情報の受信の要否に関する情報を取得してもよい。これにより、例えば、ユーザの属性に関する情報が事前に通信端末２０に設定されている場合には、コンテンツ情報の受信の要否を通信端末２０において自動的に判別することが可能になるので、コンテンツ情報の受信の要否に関する情報を円滑に取得することができる。
【００７５】
本変形例における取得手段３２の機能は、例えば以下のように実現される。ここで、通信端末２０の不揮発性メモリ２４には、図９に示すユーザ属性データが記憶されてもよい。ユーザ属性データは、ユーザの属性を表す複数の項目（図の例では、使用言語、年齢、性別、趣味、ユーザ情報）ごとの内容が記録されているデータである。ユーザ属性データの内容は、例えば、コンテンツ情報表示用のアプリケーション上で事前に設定されてもよい。
【００７６】
通信端末２０のＣＰＵ２１は、例えば、図７のステップＳ１０２の処理において第１無線信号を受信すると、コンテンツ情報表示用のアプリケーションの実行を開始して、ユーザ属性データを参照する。次に、ＣＰＵ２１は、受信した第１無線信号に含まれているダイジェスト情報の項目の内容と、ユーザ属性データの内容とを比較して、一致する内容が存在するか否かを判別する。そして、ＣＰＵ２１は、一致する内容が存在する場合（例えば、ダイジェスト情報の言語の項目の内容が「日本語」であって、ユーザ属性データの「言語」の属性の内容が「日本語」である場合）に、コンテンツ情報が必要であると判別してもよい。また、ＣＰＵ２１は、コンテンツ情報が必要であると判別した場合には、図７のステップＳ１１２の処理においてコンテンツ要求コマンドを送信する。
【００７７】
一方、配信装置１０のＣＰＵ１１は、コンテンツ要求コマンドを受信（取得）すると、受信したコンテンツ要求コマンドを例えばＲＡＭ２３に記憶する。このようにして、配信装置１０のＣＰＵ１１は、通信端末２０において、ダイジェスト情報と、通信端末２０に設定されたユーザの属性に関する情報（ここでは、ユーザ属性データ）と、に基づいて判別されたコンテンツ情報の受信の要否に関する情報（ここでは、コンテンツ要求コマンド）を取得することができる。
【００７８】
なお、通信端末２０のＣＰＵ２１は、複数の項目の内容がダイジェスト情報に含まれており、且つ、複数の属性の内容がユーザ属性データに含まれている場合に、少なくとも１つの内容が一致する場合にコンテンツ情報が必要であると判別してもよいし、全ての内容が一致する場合にコンテンツ情報が必要であると判別してもよい。
【００７９】
（変形例２）
本変形例において、第１送信手段３１は、第１無線信号を所定値未満の信号強度で送信し、第２送信手段３３は、第２無線信号を当該所定値以上の信号強度で送信してもよい。これにより、第１無線信号が所定値未満の信号強度で送信されるので、例えば空間Ｓ内の複数の通信端末２０が存在する場合に、複数の通信端末２０のうち配信装置１０との通信距離が短い通信端末２０をコンテンツ情報の送信対象とすることができる。また、第２無線信号が所定値以上の信号強度（つまり、第１無線信号の信号強度よりも高い信号強度）で送信されるので、コンテンツ情報が通信端末２０に送信される場合に、例えば他の無線信号からの干渉等によって通信異常が生じるのを抑制することができる。
【００８０】
本変形例における第１送信手段３１及び第２送信手段３３の機能は、例えば以下のように実現される。配信装置１０のＣＰＵ１１は、第１無線信号を送信する場合に、第１無線信号を所定値（例えば５ｄＢｍ）未満の信号強度（例えば４ｄＢｍ）で送信し、第２無線信号を送信する場合に、第２無線信号を所定値（例えば５ｄＢｍ）以上の信号強度（例えば９ｄＢｍ）で送信してもよい。
【００８１】
（変形例３）
上記実施形態では、更新手段３４が、通信端末２０から受信したデータに基づいてコンテンツ情報を更新する場合を一例として説明したが、この場合に限られない。例えば、更新手段３４は、所定のタイミングでコンテンツ情報を更新してもよい。ここで、所定のタイミングとは、例えば、入力部１５を用いて所定の情報が入力されたタイミングであってもよいし、センサ１６が所定値以上（又は所定値以下）のデータを測定したタイミングであってもよいし、所定時間が経過したタイミングであってもよい。
【００８２】
本変形例における更新手段３４の機能は、例えば以下のように実現される。なお、ここでは、更新用のコンテンツ情報が配信装置１０の不揮発性メモリ１４に事前に記憶されているものと想定する。配信装置１０のＣＰＵ１１は、例えば、入力部１５を用いて所定の情報が入力された（例えばスイッチが押下された）ことを認識すると、不揮発性メモリ１４にアクセスして、コンテンツデータのコンテンツ情報の内容を更新用のコンテンツ情報の内容に更新する。また、ＣＰＵ１１は、センサ１６が所定値以上（又は所定値以下）のデータを測定したことを認識すると、不揮発性メモリ１４にアクセスして、コンテンツデータのコンテンツ情報の内容を更新用のコンテンツ情報の内容に更新してもよい。さらに、ＣＰＵ１１は、所定時間が経過する毎に、コンテンツデータのコンテンツ情報の内容を更新用のコンテンツ情報の内容に更新してもよい。
【００８３】
（変形例４）
本変形例において、第１送信手段３１は、複数のコンテンツ情報が存在する場合に、第１無線信号に含むダイジェスト情報を上述した所定のタイミングで切り替えてもよい。これにより、複数のコンテンツ情報が存在する場合に、配信装置１０から配信されるコンテンツ情報を所定のタイミングで切り替えることが可能になる。
【００８４】
本変形例における第１送信手段３１の機能は、例えば以下のように実現される。配信装置１０のＣＰＵ１１は、複数のコンテンツ情報の各々に対応する複数のダイジェスト情報のうち何れか１つのダイジェスト情報をコンテンツデータから抽出し、抽出したダイジェスト情報を含む第１無線信号を生成する。そして、ＣＰＵ１１は、例えば、入力部１５を用いて所定の情報が入力された（例えばスイッチが押下された）ことを認識する毎に、抽出対象のダイジェスト情報を所定の順序に従って切り替えた上で１つのダイジェスト情報を抽出し、抽出したダイジェスト情報を含む第１無線信号を生成してもよい。また、ＣＰＵ１１は、センサ１６が所定値以上（又は所定値以下）のデータを測定したことを認識する毎に、抽出対象のダイジェスト情報を切り替えてもよい。さらに、ＣＰＵ１１は、所定時間が経過する毎に、抽出対象のダイジェスト情報を切り替えてもよい。なお、切り替えられるダイジェスト情報の数は２つ以上であってもよい。
【００８５】
なお、本発明のプログラムは、コンピュータで読み取り可能な記憶媒体に記憶されていてもよい。このプログラムを記録した記憶媒体は、図２に示された配信装置１０のＲＯＭ１２であってもよいし、不揮発性メモリ１４であってもよい。また、例えばＣＤ−ＲＯＭドライブ等のプログラム読取装置に挿入されることで読み取り可能なＣＤ−ＲＯＭ等であってもよい。さらに、記憶媒体は、磁気テープ、カセットテープ、フレキシブルディスク、ＭＯ／ＭＤ／ＤＶＤ等であってもよいし、半導体メモリであってもよい。
【００８６】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００８７】
例えば、上記実施形態では、第１送信手段３１が、コンテンツ情報のダイジェスト情報を含む第１無線信号をブロードキャストし、第２送信手段３３が、通信端末２０がコンテンツ情報の受信を必要とする場合に、コンテンツ情報を含む第２無線信号を、通信端末２０との双方向通信において通信端末２０に送信する場合を一例として説明したが、この場合に限られない。例えば、第１送信手段３１は、第１無線信号を、通信端末２０との双方向通信において通信端末２０に送信し、第２送信手段３３は、第２無線信号を、通信端末２０との双方向通信において通信端末２０に送信してもよい。
【００８８】
また、第１無線信号は、通信端末２０との通信を確立するための信号であってもよいし、第２無線信号は、通信端末２０との通信が確立した後に送信される信号であってもよい。
【産業上の利用可能性】
【００８９】
上述したような本発明の情報配信システム、情報配信方法、プログラムは、近距離無線通信を用いたコンテンツ情報の配信における処理性能及び通信品質の低下、並びに、消費電力の増大を抑制することができ、ひいては、例えば近距離無線通信を用いた情報配信サービス等に好適に利用することができるので、その産業上の利用可能性は極めて大きい。
【符号の説明】
【００９０】
１０…配信装置
２０…通信端末
３１…第１送信手段
３２…取得手段
３３…第２送信手段
３４…更新手段
【図１】
2018028876.tif 000003
【図２】
2018028876.tif 000004
【図３】
2018028876.tif 000005
【図４】
2018028876.tif 000006
【図５】
2018028876.tif 000007
【図６】
2018028876.tif 000008
【図７】
2018028876.tif 000009
【図８】
2018028876.tif 000010
【図９】
2018028876.tif 000011